(57)【要約】【課題】メニューをその映像ファイルの再生前後に表示するという、規格に従う映像ファイルを再生する場合に、この規格に従いつつ、使い勝手のよい再生装置を提供する。【解決手段】  再生装置１は、ＯＳＤ合成部５、出力部６、操作部７、制御部９を備える。ＯＳＤ合成部５は、ＯＳＤを合成する。出力部６は、映像信号、音声信号を出力する。制御部９は、ＤＭＦファイル認識処理９１、プログラム登録処理９２、プログラム再生処理９３の各プログラムをＲＯＭ内に記憶している。処理９１は、予め、第１映像ファイル（ＤＭＦファイル）、第２映像ファイル（ＤＭＦファイル以外のファイル）を振り分けて管理する。プログラム登録処理９２は、再生するタイトルを登録する。処理９３では、ＤＭＦファイルの再生後メニューを表示すると、そのメニューから選択、操作を受け付ける。一定時間選択なく経過した後、登録した順番に従い、次のタイトルを再生する。  【選択図】図６
2009104725.tif 000002
【特許請求の範囲】
【請求項１】
メニューを映像ファイルの再生前後に表示する規格に従う、第１映像ファイルを再生する再生部を備えた再生装置において、
映像を記憶する記憶媒体を検索して、前記第１映像ファイルを予め管理するファイル管理手段と、
前記第１映像ファイルの集合から、所定のファイルまたは前記ファイルに含まれる部分単位の登録、および、これらの再生順序を受け付ける登録手段と、を備え、
前記再生手段は、以下のプログラム再生動作、即ち、
（Ａ）前記登録手段で登録した再生順序に従い再生を開始し、
（Ｂ）前記登録手段で登録したファイルまたは部分単位の再生終了後にメニューを表示して、そのメニューの表示に続けて、前記再生順序に示された次のファイルまたは次の部分単位を再生することを繰り返す、
プログラム再生動作を行う再生装置。
【請求項２】
前記再生部は、
前記プログラム再生動作で、再生後出力するメニューを所定時間出力し、
その間に、このメニューの操作を受け付け、この操作がない場合には、前記再生順序に従い再生を開始する請求項１に記載の再生装置。
【請求項３】
前記再生部は、前記プログラム再生動作で、再生後出力するメニューを表示している間に、このメニューの操作を受け付け、一定のキー操作を受けた場合には、前記再生順序に従い再生を開始する請求項１、２のいずれかに記載の再生装置。
【請求項４】
前記再生部は、
前記プログラム再生動作において、所定の早送り操作、再生操作に応じて、再生速度を早送り速度、通常の再生速度に切り換える請求項１〜３に記載の再生装置。
【請求項５】
前記再生部は、前記プログラム再生動作において、所定の巻き戻し操作で、巻き戻し再生に切り換えると共に、ファイルの再生の先端に到達したときは、前記メニューを表示し、その後、前記登録手段で登録した再生順序に従い１つ前のファイル、または部分の後端から巻き戻し再生を継続する請求項１〜４に記載の再生装置。
【請求項６】
前記プログラム再生動作を有効にするかどうかを予め設定する初期設定手段を備え、
前記プログラム再生動作を有効にする設定がなされた場合には、前記プログラム再生動作を行い、前記プログラム再生動作を無効にした場合には、前記プログラム再生動作を行わない請求項１〜５のいずれかに記載の再生装置。
【請求項７】
前記第１のファイルは、ＤＭＦ（DivX Media Format）ファイルである、請求項１〜６のいずれかに記載の再生装置。
【発明の詳細な説明】
【技術分野】
【０００１】
本発明は、映像ファイルの管理を行う再生装置に関する。
【背景技術】
【０００２】
従来、ＤｉｖＸ社のDivXMedia Format（ＤＭＦ）の規格に従う映像ファイルを再生する再生装置が開発されている。ＤＭＦファイルは、ＤｉｖＸファイルの１種であり、再生前後にメニュー画面を表示して、再生するタイトルを選択させるものをいう。そして、１つのＤＭＦファイルは、トラックと称され、トラックには、複数のタイトル、チャプターという概念が付加されている。
【０００３】
ここで、このＤＭＦファイルを再生する装置は、ＤＭＦファイルの再生の指示を受けると、その映像を再生する前に必ずメニューを表示し、再生が終了すると必ずメニューに戻らなければならないという規格に従う。
【０００４】
さらに、規格上、ＤＭＦファイルのプログラム再生動作に入った後は、ＳＫＩＰ  ＵＰ／ＤＯＷＮ操作が禁止される。即ち、メニューの中のタイトルから別のタイトルに移動する場合ためには、メニューに戻らなくてはならず、プログラム再生動作のまま、別のトラックに移動することができない。また、ファイル終端まで通常再生やＦａｓｔ  Ｆｏｗａｒｄ操作を行った場合には、次ファイルに遷移せずに、ＭＥＮＵ画面に移動してしまう。したがって、基本的な操作では、別ファイルに切り換えて再生することができない。即ち、次のファイル、タイトルを再生する場合には、ユーザが、一々これらをメニューから選択する必要があった。
【０００５】
一方、特許文献１には、ＤＶＩＸファイルについてコマーシャルなしに視聴するために、コマーシャルなしに映画を開始する再生装置が開示されている。特許文献２、３には、映像、音声のプログラム再生についての再生方法、再生装置が開示されている。
【特許文献１】特開２００７−０４９７３３公報
【特許文献２】特開２００４−３３５０１８公報
【特許文献３】特開２００３−１９６９５６公報
【発明の開示】
【発明が解決しようとする課題】
【０００６】
以上のとおり、前述の規格にしたがってメニューを表示する従来の再生装置は、規格上の要請に従い、ＤＭＦファイルを再生すると必ずメニューに戻る。したがって、ユーザは、次のファイルを再生するには、一々次のファイルの選択を操作しなければならず、連続再生またはプログラム再生が容易ではなかった。このように、この規格による制約は厳しく、従来では、この規格の範囲内で、使い勝手を向上することが容易ではなく、ユーザにとって、必ずしも使い勝手がよいものでなかった。
【０００７】
こうしたことから、上記規格に従いつつ、使い勝手を向上した再生装置が望まれている。  そこで、本発明は、メニューをその映像ファイルの再生前後に表示する規格に従う映像ファイルを再生する場合に、この規格に従いつつ、より使い勝手のよい再生装置を提供することを目的とする。
【課題を解決するための手段】
【０００８】
上記課題を解決するために、以下の構成を備えることができる。
【０００９】
（１）  メニューを映像ファイルの再生前後に表示する規格に従う、第１映像ファイルを再生する再生部を備えた再生装置において、
映像を記憶する記憶媒体を検索して、前記第１映像ファイルを予め管理するファイル管理手段と、
前記第１映像ファイルの集合から、所定のファイルまたは前記ファイルに含まれる部分単位の登録、および、これらの再生順序を受け付ける登録手段と、を備え、
前記再生手段は、以下のプログラム再生動作、即ち、
（Ａ）前記登録手段で登録した再生順序に従い再生を開始し、
（Ｂ）前記登録手段で登録したファイルまたは部分単位の再生終了後にメニューを表示して、そのメニューの表示に続けて、前記再生順序に示された次のファイルまたは次の部分単位を再生することを繰り返す、
プログラム再生動作を行う。
【００１０】
この構成では、ファイルの再生後メニューに戻ると、登録手段で登録した再生順序で次の再生を開始するから、ユーザは、このメニューで次のファイル、部分の再生を指示する必要がない。また、再生後メニューに戻っているから、規格には反しない。したがって、規格に適合しつつ、プログラム再生、連続再生が可能になるので、再生装置の使い勝手が向上する。
【００１１】
（２）  前記再生部は、
前記プログラム再生動作で、再生後出力するメニューを所定時間出力し、
その間に、このメニューの操作を受け付け、この操作がない場合には、前記再生順序に従い再生を開始する。
【００１２】
この構成では、メニューを所定時間出力しその間に、このメニューの操作を受け付ける。したがって、また、再生後メニューで選択する余地があるから、ファイル選択後メニュー選択を求める規格の趣旨に適合したものである。また、このメニューで次の再生を指示する必要がないが、別のファイルの再生も指示できるので、再生装置の使い勝手が向上する。
【００１３】
（３）  前記再生部は、前記プログラム再生動作で、再生後出力するメニューを表示している間に、このメニューの操作を受け付け、一定のキー操作を受けた場合には、前記再生順序に従い再生を開始する。
【００１４】
この構成では、メニューに戻った後に、ユーザは、別のファイルの選択、操作が可能であるので、上記規格に適合したものである。さらに、一定のキー操作がされた場合には、メニューを選択することなく、登録された次のファイルの再生を開始する。したがって、再生装置の使い勝手が向上する。
【００１５】
（４）  前記再生部は、
前記プログラム再生動作において、所定の早送り操作、再生操作に応じて、再生速度を早送り速度、通常の再生速度に切り換える。
【００１６】
この構成では、早送り操作を受け付けて、再生速度を変更する。そして、この構成では、再生速度が変化するだけであるから、ファイルの再生終了後のメニュー表示において、登録した次のファイルに切り換えることには変わりがない。したがって、ユーザは、再生しているファイルが好みでないような場合には、次のファイルに移動するべく、早送り操作を行うことができる。終端に到達すると、メニューを表示し、その後、次のファイルに連続的に移動することができる。これによれば、例えば、ユーザは、登録したファイルのうち、必要なシーンを探し出すことが容易になる。したがって、再生装置の使い勝手が向上する。
【００１７】
（５）  前記再生部は、前記プログラム再生動作において、所定の巻き戻し操作で、巻き戻し再生に切り換えると共に、ファイルの再生の先端に到達したときは、前記メニューを表示し、その後、前記登録手段で登録した再生順序に従い１つ前のファイル、または部分の後端から巻き戻し再生を継続する。
【００１８】
この構成では、巻き戻し再生についても、登録された再生順序に従い、メニューを挟んで連続的に再生することができる。したがって、登録した複数のファイルまたは部分単位について、あたかも連続した１つのファイルのように再生、早送り、巻き戻しが可能になる。そして、再生前後にメニューを表示するとしても、能動的に選択する必要がなくなり、ユーザの手間が減少し、再生装置の使い勝手が向上する。
【００１９】
（６）  前記プログラム再生動作を有効にするかどうかを予め設定する初期設定手段を備え、
前記プログラム再生動作を有効にする設定がなされた場合には、前記プログラム再生動作を行い、前記プログラム再生動作を無効にした場合には、前記プログラム再生動作を行わない。
【００２０】
この構成では、初期設定で、このプログラム再生動作をオフにできる。プログラム再生動作をオフにした場合には、従来どおり規格に厳格に従ったものとなる。したがって、このプログラム再生動作をオンにすることは、規格に適合したプログラム再生動作のオプションとして機能することになるので、この構成では、厳格に規格に従いつつ、再生装置の使い勝手が向上する。
【００２１】
（７）  前記第１のファイルは、ＤＭＦ（DivX Media Format）ファイルであるとしてもよい。
【発明の効果】
【００２２】
本発明によれば、ファイルの再生後必ずメニューに戻るという規格に適合しつつ、予め定めた順序で再生することができる。
【発明を実施するための最良の形態】
【００２３】
図１は、この発明の実施形態である再生装置の主要部の構成を示すブロック図である。再生装置１は、読取部３、デコーダ４、ＯＳＤ合成部５、出力部６、操作部７、制御部９を備えている。再生装置１は、記録媒体１０に記録されているファイルを再生する装置である。再生装置１は、例えば、ＭＰ３プレーヤ等の固体メモリプレーヤ、映像信号を出力可能なＣＤプレーヤ、ＤＶＤプレーヤ、ＤＶＤレコーダ、ハードディスクレコーダとすることができる。
【００２４】
記録媒体１０は、本体に内蔵されているハードディスクであってもよいし、本体に対して着脱自在のＤＶＤ、ＢＤ等（ＤＶＤ−ＲＯＭ等再生専用のものを含む。）の光ディスクや、フラッシュメモリであってもよい。また、これら以外の記録媒体でも、複数のタイトルが予め記録されているファイルを再生できればよい。また、必ずしも、再生装置１が映像信号をファイルに記録できることを要しない。
【００２５】
読取部３は、記録媒体１０に記録されているデータを読み取り、その読取信号をデコーダ４に出力する。例えば、記録媒体１０がハードディスクであれば、読取部３は、ハードディスクドライブである。また、記録媒体１０がメモリーカードであれば、読取部３は、メモリーカードリーダである。記録媒体１０がＤＶＤ等の光ディスクであれば、読取部３は、光ディスクドライブである。光ディスクドライブは、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、光ディスクドライブは、光ディスクを読み出す。
【００２６】
記録媒体１０に記録するファイルとしては、ＤＭＦファイルのほか、例えば映像ファイルのＭＰＥＧ２、音声ファイルのＭＰＥＧ３、ＷＡＶファイルを含めるようにしてもよく、再生装置１は、これらのファイルを管理して、再生するようにしてもよい。
【００２７】
デコーダ４は、読取部３が出力した読取信号から、音声データと、映像データに分離する。また、デコーダ４は、これらのデータをデコードして出力する。デコーダ４は映像データをＯＳＤ合成部５に出力する。また、デコーダ４は、音声データを出力部６に出力する。
【００２８】
ＯＳＤ合成部５は、制御部９から指示を受けて、文字、キャラクタ等のＯＳＤ（On-Screen Display）を合成して出力部６に出力する。ＯＳＤ合成部５は、これらを出力するため、テンプレートのＯＳＤ５１を複数記憶している。例えば、文字、図形のほか、初期設定メニュー、後述する図３に示す登録メニュー５１１を記憶している。デコーダ４から映像信号が出力されている場合には、この映像信号とＯＳＤ（On-Screen Display）を合成し、出力部６に出力する。また、この映像信号の出力を禁止して、ＯＳＤのみを出力してもよい。例えば、再生ファイルのリストを表示するときは、ＯＳＤのみを出力するようにしてもよい。
【００２９】
なお、以下では、ＯＳＤ合成部５からメニューを合成しその画像を出力することを単に「メニューの出力」、「メニューを出力する」と称する。
【００３０】
出力部６は、映像信号と音声信号とを同期させて出力する。出力部６の出力としては、ＲＣＡピンケーブルを介してＤ／Ａ変換をしてもよいし、ＨＤＭＩ端子等を介してデジタルで送信してもよい。
【００３１】
操作部７は、再生装置１の本体に設けられた操作子７１（選択キー７２、決定キー７３を含む。）や、リモコン７５（選択キー７６、決定キー７７を含む。）から送信されてきた制御コードを受信するリモコン受光部７４を有している。操作部７は、ユーザが操作した操作子７１の入力操作や、リモコン受信部で受信した制御コードを制御部９に出力する。制御部９は、操作部７からの信号出力により、装置本体に対するユーザの操作を判断する。
【００３２】
制御部９は、マイコンで構成し、ＣＰＵ、ＲＡＭ、制御データ格納用のＲＯＭを備える。制御部９は、操作部８で受け付けた入力に基づいて、以上で示した装置のうち３〜８、９９の各部の動作を制御する。また、制御部９のＲＯＭは、ＤＭＦファイル認識処理９１、登録処理９２、プログラム再生処理９３を実行するためのサブルーチンを記憶している。ＤＭＦファイル認識処理９１では、ＤＭＦファイルとそうでないファイルとを分離して、ファイルを管理する。登録処理９２では、プログラム再生に必要な登録処理を行う。プログラム再生処理９３では、登録処理９２で登録したタイトル順に沿って、連続的に再生処理を行う。
【００３３】
フラッシュメモリ９９は、不揮発性メモリであり、各種の制御情報を記憶する。例えば、装置の状態、装置に設定情報を記憶する初期設定のデータを記憶している。このデータの記憶は、操作部７から所定の操作を受けて、初期設定モードに入り、ユーザから再生装置１の設定を受け付けることにより行う。具体的には、ＯＳＤ合成部５がＯＳＤデータ５１のうち初期設定のメニューの映像を出力する。このメニューの所定の動作に従って所定の設定がなされた場合には、制御部９は、この設定をフラッシュメモリ９９に記憶する。
【００３４】
図２を用いて、ＤＭＦファイル認識処理９１について説明する。制御部９は、再生装置１の起動時、または、ファイルのメニューを表示することが指示された場合に、ＤＭＦファイル認識処理９１を以下のように実行する。まず、制御部９は、記録媒体１０からファイルを検索して、総数を把握する。その後、記録媒体１０内のファイルについて、第１映像ファイル（ＤＭＦファイル）１０５かどうか判断する（以下このファイルを単に第１映像ファイル１０５またはＤＭＦファイルと称する。）。その判断方法としては、ファイル構造の内部に記述されたデータのうち、“ＭＥＮＵ”チャンクのVersionIDが１の場合には、ＤＭＦファイルであると判断することができる。なお、拡張子で判断してもよいが、VersionIDを判断した方が、より確実にＤＭＦファイルかどうか判断できる。
【００３５】
このようにして、制御部９は、認識処理９１を実行することにより、第１映像ファイル１０５と、第２映像ファイル（ＤＭＦファイル以外のファイル）１０６とを振り分けて第１映像ファイル１０５を認識する。ファイルの管理の方法としては、フォルダで分けてもよいし、ファイル名に基づいて、関連付けるリストを作成してもよい。
【００３６】
次に図３を用いて、プログラム再生処理９３で再生する順序を登録するプログラム登録処理９２について説明する。プログラム登録処理９２では、制御部９は、第１映像ファイル１０５に基づいて、登録メニュー５１１を表示器１０２に出力する。ここで、登録メニュー５１１は、ＯＳＤ合成部５のＯＳＤデータ５１の１つである。
【００３７】
図３のとおり、登録メニュー５１１として、トラック一覧５２と、トラック選択５３を表示する。ここで、ＤＭＦ拡張子が付いたＤＭＦファイルについては、１つのファイルをトラック（図３中、ＴＲＫで示す。）と称している。
【００３８】
また、１つのトラックの中には、複数のタイトル（図３中、ＴＴで示す。を格納できる。さらに、このタイトルには、複数のチャプターを記録できる。
【００３９】
なお、ここでいうタイトルは、トラック内のコンテンツを区切り、識別するための単位であり、１つのコンテンツのまとまりをいい、英語で言うところの「works」に相当するものである。例えば映画の内容であって、映画のタイトルというような題名そのものでない。また、必ずしも題名を付していることを要しない。
【００４０】
登録メニュー５１１の表示中に、制御部９は、トラック一覧５２の中から、操作部７からトラック一覧５２の選択を受け付ける。この選択は、例えば、リモコン７５の選択キー７５（カーソルキー）で選択し、決定キー７７により行う。また、再生装置１本体の操作子７１の選択キー７２、決定キー７３から行ってもよい。これらの決定キーが押されると、ＯＳＤ合成部５は、トラック選択５３の欄に選択したトラックが並べて表示する。
【００４１】
次に図４のフロー図を用いて、図２で示した装置１のＤＭＦファイル認識処理９１について説明する。この処理は、ディスクをマウントしたときか、ディスクの起動時に行う。
【００４２】
ＳＴ１１では、制御部９は、記録媒体１０（例えばＤＶＤ、ハードディスク）を認識する。
ＳＴ１２では、ディスク内のトラックの総数をカウントする。ここでの説明では、この総数を整数ｎとする。繰り返し数を数える変数（これをｉとする）を用いて、以下のＳＴ１３〜ＳＴ１６のステップを、ｉ＝０からｎ−１まで繰り返す。
【００４３】
ＳＴ１３では、トラック番号ｉのファイルが第１映像ファイル（ＤＭＦファイル）１０５かどうか判断する。トラック番号ｉのファイルが第１映像ファイルと判断すれば（ＳＴ１３のＹＥＳ）、ＳＴ１４に移動する。ＳＴ１４では、トラック番号ｉのファイルを第１映像ファイル１０５のリストへ登録する。または第１映像ファイル１０５のフォルダを作成し、このファイルをこのフォルダに格納してもよい。
【００４４】
ＳＴ１３で、トラック番号ｉのファイルが第１映像ファイル１０５でないと判断すれば（ＳＴ１３のＮＯ）、ＳＴ１５に移動する。ＳＴ１５では、第２映像ファイル１０６のリストへ登録する。または第２映像ファイル１０６のフォルダを作成し、トラック番号ｉのファイルをこれに格納してもよい。
【００４５】
ＳＴ１６で、トラック番号ｉをインクリメントし、次のトラック番号のファイルについて、ＳＴ１３〜ＳＴ１５を実行する。これらの処理をiがｎに満たない限り（ＳＴ１７のｎｏ）繰り返し、図２に示すように、ＤＭＦファイル１０５、第２映像ファイル１０６に振り分ける。その後、i＝ｎになると（ＳＴ１７のＹＥＳ）、このフローは終了する。以上のフローにより、第１映像ファイル１０５を認識することができる。
【００４６】
次に図５のフロー図を用いて、図３で示した装置１のプログラム登録処理９２について説明する。
ＳＴ２１で、ＯＳＤ合成部５は、登録メニュー５１１を呼び出す。ＳＴ２２で、図２、図４で示したＤＭＦファイル認識処理９１を行う。ＳＴ２３で、図３のトラック一覧５２に示すように、第１映像ファイル（ＤＭＦファイル）１０５を表示する。
【００４７】
ＳＴ２４で、制御部９は、操作部７から、ユーザがプログラム再生を希望する番号入力を受け付ける。ＳＴ２５で、制御部９は、この番号が入力可能なタイトル番号か否か判断する。入力可能なタイトル番号であれば（ＳＴ２５のＹＥＳ）、ＳＴ２７に移動する。そうでなければ（ＳＴ２５のＮＯ）、ＳＴ２６に移動する。ＳＴ２６で、入力された値をクリアして、ＳＴ２４に戻る。ＳＴ２７では、プログラム再生処理９３が要求されたか否か判断する。処理９３が要求されていない限り（ＳＴ２７のＮＯ）、ＳＴ２４に戻り、タイトル番号の入力の受付を継続する。処理９３が要求された場合には（ＳＴ２７のＹＥＳ）、このフローを終了する。その後、処理９３を行う。
【００４８】
次に図６〜図７のフロー図を用いて、装置１のプログラム再生処理９３の例１について説明する。この処理では、予めプログラム登録処理９２が行われたことを前提としている（ＳＴ２０）。
ＳＴ３１で、第１映像ファイル（ＤＭＦファイル）１０５の選択メニューの表示を行う。これは、ＤＭＦファイル再生前後に、この選択メニューを表示しなければならないという規格に適合するためである。
ＳＴ３２で、制御部９は、キー操作を操作部７から受け付ける。これにより、第１映像ファイル１０５について、各種の操作を受け付ける。ＳＴ３３で、一定時間が経過したか否か判断する。一定時間が経過するまで（ＳＴ３３のＮＯ）、ＳＴ３２の操作を有効とする。一定時間が経過すると（ＳＴ３３のＹＥＳ）、ＳＴ３４で、ユーザの操作を受けずとも、プログラム登録処理９２で登録された再生順序に基づきタイトルを自動的に選択する。これにより、映像ファイルの再生前後にメニューを表示するという規格、および、ユーザがファイルをメニューから選択できるようにしたという規格の趣旨に従いつつも、連続再生機能をユーザに提供することができる。
【００４９】
ＳＴ３５で、ファイルの再生を開始する。このとき、ＳＴ３６で、他のメニュー、例えば、ＤＭＦファイル以外の再生メニューの表示を事実上禁止する。これにより、再生中に他のメニューに移動することがないから、再生後に必ずＤＭＦファイルのメニューを表示するという規格に適合することができる。
【００５０】
ここで、上記他のメニューの表示を禁止するには、例えば２つの方法がある。１つには、所定のフラッシュメモリ９９内の設定データに禁止フラグを予め記憶しておくことができる。この場合には、他のメニューへの切換が指示された時、この禁止フラグを参照して、他のメニューへの切換が禁止されているかどうかを決定する。また、第２の方法としては、他のメニューに移動するガイド表示を出力せず、このメニューへの移動を選択できないことにより、事実上移動できないようにすることができる。
【００５１】
ＳＴ３７で、再生操作を操作部７から受け付ける。例えば、再生操作、早送り操作、停止操作を受け付けて、制御部９は、デコーダ４に再生速度の変更を指示する。
ＳＴ３８では、現在再生しているトラックまたはタイトルの再生が、終了端に到達したか否か判断する。終了端に到達した場合には（ＳＴ３８のＹＥＳ）、ＳＴ３８１で現在再生しているタイトルの再生を終了する。終了端にたどり着いていない場合には（ＳＴ３８のＮＯ）、ＳＴ３７に戻り、再生の操作を受け付ける。
【００５２】
ＳＴ３９では、再生プログラムが終了したか否か判断する。即ち、プログラム登録処理９２で登録した最後のタイトルを再生し終わったか否か判断する。この判断が肯定の場合には（ＳＴ３９のＹＥＳ）、図７のフローへ移動する。
【００５３】
再生プログラムが終了していない場合、即ち、現在再生しているタイトルがプログラム登録処理９２で登録した最後のタイトルでない場合には、ＳＴ３１に戻る。ＳＴ３１では、第１映像ファイル（ＤＭＦファイル）１０５の選択、操作を受け付けるメニューを表示する。これにより、ファイル、トラック、またはタイトルの終了後にこのメニューを表示するという規格に適合することができる。そして、ＳＴ３２のキー操作がない限り、一定時間が経過すると（ＳＴ３３のＹＥＳ）、登録処理９２で登録した次のタイトルを自動選択する。
【００５４】
このように、ＳＴ３３の一定期間については、メニューの選択を受け付けているのであるから、この規格を潜脱するものでない。そして、ユーザが操作しなくても、次のタイトルを自動的に選択するので、ユーザが登録した順序に従いプログラム再生（連続再生）が可能となる。以上より、この実施形態の再生装置１によれば、規格に従いつつも、プログラム再生（連続再生）が可能となる。
【００５５】
図７のフローについて説明する。図７では、プログラム再生処理９３のうち、登録したすべてのタイトルを再生した後の後処理を示している。最後のファイルを再生した後も、規格上、第１映像ファイル１０５のメニューを表示する必要がある。したがって、ＳＴ４１では、このメニューを表示する。ＳＴ４２で、このメニューに対応した操作を受け付ける。一定時間が経過すると（ＳＴ４３のＹＥＳ）、図３で示した登録メニュー５１１を表示する（ＳＴ４４）。その後、再生処理９３は、終了する。
【００５６】
次に、図８を用いて、図６、図７で示した例１と異なるプログラム再生処理９３の１例２について説明する。この例では、ＳＴ３３のみが異なっている（ＳＴ３３１）。その他の処理は、図６、図７のフローと同じなので以上の説明を準用する。ＳＴ３３１では、所定のキー、例えば、選択キー７６の右方向キー、早送りキー、再生キーが押された場合には（ＳＴ３３１のＹＥＳ）、ＳＴ３４に移動する。このようにすれば、ユーザは、同じキー操作で次のタイトルに移動するので、選択時に次のファイルを考える必要がない。また、ユーザが操作しない限り、次のタイトルに移動することがないので、ユーザは、慌てずに、他のＤＭＦファイルを選択することも可能である。
【００５７】
次に、図９を用いて、初期設定で再生モードを選択する付加的構成について説明する。制御部９は、初期設定の実行が操作部７から指示された場合には、初期設定メニュー５１２を表示器１０２に出力する。初期設定メニュー５１２には、再生モードを選択する項目を設ける。そして、その選択がされた場合には、プログラム再生処理９３を有効にするか（ｏｎ）、無効にするか（ｏｆｆ）について、その選択を選択キー７２，７６により、また、その決定を決定キー７３，７７から受け付ける。この決定がされた場合には、制御部９は、フラッシュメモリ９９にその設定を記録する。この設定により、処理９３が無効にされた場合には、制御部９は、この処理を受け付けない。処理９３が無効にされた場合には、従来どおりの規格に厳格に従ったものである。そして、処理９３は、この規格のオプションとして、機能することになる。したがって、この付加的な構成によれば、より厳格にこの規格に適合することができる。
【００５８】
以上の実施例について補足する。
【００５９】
以上の図１の説明では、機能ごとに分離したブロックで説明したが、実装上は、これらの機能のうち、いずれかが複数の機能が一体となった構成、例えば、システムＩＣで構成してもよいし、一つのブロックを複数に分離して構成してもよい。また、図１に示すブロック内の一部の機能が、別のブロックの一部の機能と一体になっていてもよい。
【００６０】
また、以上の説明では、決定キー７３等を使用したが、選択キー７２を十字キーまたはカーソルキーとして、縦方向のアップダウンキーを選択移動キー、横方向を決定キーの代わりに用いてもよい。
【００６１】
また、操作部７としては、リモコン受光部７４およびリモコン７５、あるいは、操作子７１のいずれか１以上を備えていればよく、いずれをも備える必要はない。さらには、リモコン、本体操作子に限らず、少なくとも１つ以上の操作部で操作できればよく、複数の操作部を設ける必要はない。さらには、操作を受け付けることができればよく、その方法は問わない。操作子７１、リモコン７５については、接触式、ボタン式、その他検出できるものであればなんでもよい。操作部７としては、メニューの選択と、選択した事項の決定ができればよい。
【００６２】
フラッシュメモリ９９については、制御部９のマイコンに付属のものでもよく、制御部９の外部に接続されているものでもよい。フラッシュメモリ９９の代わりに、記録媒体１０に記憶していてもよい。フラッシュメモリ９９は、直接制御部９に接続されていなくても、間接的に制御部９がアクセスできればよい。また、上記した初期設定を記憶する構成をとらなければ、フラッシュメモリ９９は、必ずしも必要がない。
【００６３】
図２では、第２映像ファイル（ＤＭＦファイル以外のファイル）１０６として、ａｖｉファイルを示したが、必ずしもａｖｉでなくてもよく、ｗｍｖ、ｍｐ４等の映像ファイルのほかｍｐ３、ｗａｖなどの音声ファイルでもよい。
【００６４】
以上では、通常再生と、早送りについて説明したが、巻き戻し再生（等倍速〜高速送りを含む。）についても、以上の説明で早送りを巻き戻しに置き換えて適用できる。たただしこの場合には、以下のように置き換えて適用する。図６、図８のＳＴ３７の代わりに、「タイトルの先頭に到達したか否か」を判断し、ＳＴ３４の代わりに、「登録したタイトルの再生順序のうち、直前に再生したタイトルの１つ前の再生順序のタイトルを自動選択する」として適用する。このようにすれば、複数のタイトルがあたかも連続しているように、ファイルの再生、早送り、巻き戻しが可能である。
【００６５】
また、図５、図６、図８のフローでは、プログラム登録処理９２の後、直ちにプログラム再生処理９３を開始しているが、直ちにしなくてもよい。処理９３の前に、再生するトラック、タイトルが、予め登録されていればよい。また、図７のＳＴ４４では、登録メニュー５１１に戻っているが必ずしもこれに戻らなくても良く、例えば、起動時のメニューに戻ってもよい。また、図７のフローの代わりに、ＳＴ４１で終了してもよい。
【００６６】
また、図７、図８のフローを併用してもよい。即ち、ＳＴ３３のみならず、ＳＴ３３１も判断し、所定期間の経過後（ＳＴ３３のＹＥＳ）、または所定のキー操作がされた場合には（ＳＴ３３１のＹＥＳ）、ＳＴ３４に移動するようにしてもよい。このようにすれば、所定のキー操作を受けなくても、装置１は、プログラム再生動作を開始するが、操作を受けた場合には、より早くこれを開始するので、ユーザの使い勝手が向上する。
【００６７】
プログラム登録処理９２では、タイトルを登録したが、トラックを登録してもよいし、チャプターを登録してもよい。
【００６８】
トラックは本発明の「ファイル」に相当し、タイトル、チャプターは、本発明の「ファイルの部分」に相当する。
【００６９】
以上では、第１映像ファイルとしてＤＭＦファイルを説明として用いた。しかし、ＤＭＦファイル以外であっても、「再生中は、他のファイルの選択を禁止し、再生後にメニューを表示する」という規格に従うファイルを再生する装置であれば、以上の実施形態を適用できる。
【図面の簡単な説明】
【００７０】
【図１】本発明の実施形態の再生装置の構成図である。
【図２】本発明の実施形態の再生装置のＤＭＦファイル認識処理を説明する図である。
【図３】本発明の実施形態の再生装置のプログラム登録処理で出力するメニューを表わす図である。
【図４】本発明の実施形態の再生装置のＤＭＦファイル認識処理を表わすフロー図である。
【図５】本発明の実施形態の再生装置のプログラム登録処理を表わすフロー図である。
【図６】本発明の実施形態の再生装置のプログラム再生処理の例１を表わすフロー図である。
【図７】本発明の実施形態の再生装置のプログラム再生処理の例１を表わすフロー図である。
【図８】本発明の実施形態の再生装置のプログラム再生処理の、例１とは異なる例を表わすフロー図である。
【図９】本発明の実施形態の再生装置の初期設定処理を表わす画面の遷移図である。
【符号の説明】
【００７１】
１−再生装置、  ３−読取部、  ４−デコーダ、  ５−ＯＳＤ合成部、
５１−ＯＳＤデータ、  ５１１−登録メニュー、  ５１２−初期設定メニュー、
５２−トラック一覧、  ５３−トラック選択、
５４−ファイル選択欄、  ６−出力部、
７−操作部、  ７１−操作子、  ７２−選択キー、  ７３−決定キー、
７４−リモコン受光部、  ７５−リモコン、  ７６−選択キー、  ７７−決定キー、
９−制御部、  ９０−ＲＯＭ、
９１−ＤＭＦファイル認識処理、  ９２−プログラム登録処理、
９３−プログラム再生処理、  ９９−フラッシュメモリ、
１０−記録媒体、  １０１−スピーカ、  １０２−表示器
１００−映像ファイル、  １０５−第１映像ファイル（ＤＭＦファイル）、
１０６−第２映像ファイル（ＤＭＦファイル以外のファイル）、
【図１】
2009104725.tif 000003
【図２】
2009104725.tif 000004
【図３】
2009104725.tif 000005
【図４】
2009104725.tif 000006
【図５】
2009104725.tif 000007
【図６】
2009104725.tif 000008
【図７】
2009104725.tif 000009
【図８】
2009104725.tif 000010
【図９】
2009104725.tif 000011